【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
ランプ収納用開口と光照射用開口が形成されたリフレクタと、光を放射するバルブと前記バルブに電極を案内する電極導入部を備えるランプと、から構成される光源と、
前記光源から放射された光の光軸上にあるとともに前記リフレクタで反射された前記ランプの放射光を集光させる少なくとも一方のレンズ面の中央部に凹部が備えられた集光用レンズと、を備え、
前記ランプが前記ランプ収納用開口から前記リフレクタ内に挿入されるとともに前記バルブから放射されて前記リフレクタの内壁により反射された放射光の焦点位置が前記電極導入部上に位置せず、前記電極導入部と前記集光用レンズの集光面との間に位置するように前記バルブが配置されることを特徴とする光源ユニット。
【請求項２】
前記集光用レンズは、両レンズ面の中央部に凹面が設けられた凸レンズであることを特徴とする請求項１に記載の光源ユニット。
【請求項３】
前記集光用レンズは、一方のレンズ面の中央部に凹部が設けられた凸レンズであることを特徴とする請求項１に記載の光源ユニット。
【請求項４】
前記集光用レンズは、一方のレンズ面は平面に形成されるとともに、他方のレンズ面は中央部凹部が設けられた凸面に形成されたレンズであることを特徴とする請求項１に記載の光源ユニット。
【請求項５】
前記焦点位置は、前記光源から放射された光の光軸を中心とした円を形成することを特徴とする請求項１に記載の光源ユニット。
【請求項６】
ランプ収納用開口と光照射用開口が形成されたリフレクタと、光を放射するバルブと前記バルブに電極を案内する電極導入部を備えるランプと、から構成される光源と、前記光源から放射された光の光軸上にあるとともに前記リフレクタで反射された前記ランプの放射光を集光させる少なくとも一方のレンズ面の中央部に凹部が備えられた集光用レンズと、を備え、
前記ランプが前記ランプ収納用開口から前記リフレクタ内に挿入されるとともに前記バルブから放射されて前記リフレクタの内壁により反射された放射光の焦点位置が前記電極導入部上に位置せず、前記電極導入部と前記集光用レンズの集光面との間に位置するように前記バルブが配置される光源ユニットと、
前記集光用レンズから出射された光を案内するミラートンネルと、
前記ミラートンネルから出射された光を集光するレンズと、
前記レンズから出射された光を受けて画像を映写するマイクロミラー素子と、
前記マイクロミラー素子から映写された画像を拡大する投影レンズと、
を備えることを特徴とするプロジェクタ装置。
【請求項７】
前記集光用レンズは、両レンズ面の中央部に凹面が設けられた凸レンズであることを特徴とする請求項６に記載のプロジェクタ装置。
【請求項８】
前記集光用レンズは、一方のレンズ面の中央部に凹部が設けられた凸レンズであることを特徴とする請求項６に記載のプロジェクタ装置。
【請求項９】
前記集光用レンズは、一方のレンズ面は平面に形成されるとともに、他方のレンズ面は中央部凹部が設けられた凸面に形成されたレンズであることを特徴とする請求項６に記載のプロジェクタ装置。
【請求項１０】
前記焦点位置は、前記光源から放射された光の光軸を中心とした円を形成することを特徴とする請求項６に記載のプロジェクタ装置。
【手続補正２】
【補正対象書類名】明細書
【補正対象項目名】０００９
【補正方法】変更
【補正の内容】
【０００９】
上記課題を解決するため、
請求項１に記載の光源ユニットは、ランプ収納用開口と光照射用開口が形成されたリフレクタと、光を放射するバルブと前記バルブに電極を案内する電極導入部を備えるランプと、から構成される光源と、前記光源から放射された光の光軸上にあるとともに前記リフレクタで反射された前記ランプの放射光を集光させる少なくとも一方のレンズ面の中央部に凹部が備えられた集光用レンズと、を備え、前記ランプが前記ランプ収納用開口から前記リフレクタ内に挿入されるとともに前記バルブから放射されて前記リフレクタの内壁により反射された放射光の焦点位置が前記電極導入部上に位置せず、前記電極導入部と前記集光用レンズの集光面との間に位置するように前記バルブが配置されることを特徴とする。
【手続補正３】
【補正対象書類名】明細書
【補正対象項目名】００１７
【補正方法】変更
【補正の内容】
【００１７】
請求項４に記載の発明は、請求項１に記載の光源ユニットにおいて、前記集光用レンズは、一方のレンズ面は平面に形成されるとともに、他方のレンズ面は中央部に凹部が設けられた凸面に形成されたレンズであることを特徴とする。また、請求項５に記載の発明は、請求項１に記載の光源ユニットにおいて、前記焦点位置は、前記光源から放射された光の光軸を中心とした円を形成することを特徴とする。
【手続補正４】
【補正対象書類名】明細書
【補正対象項目名】００１８
【補正方法】変更
【補正の内容】
【００１８】
請求項４に記載の発明によれば、一方のレンズ面は平面に形成されるとともに、他方のレンズ面は中央部に凹部が設けられた凸面に形成されたレンズを集光用レンズとして用いることで光源から放射された光を効率よく集光してミラートンネルの入射面に照射することができる。また、請求項５に記載の発明によれば、焦点位置は、光源から放射された光の光軸を中心とした円を形成するので、光源から放射された光を効率よく集光してミラートンネルの入射面に照射することができる。
【手続補正５】
【補正対象書類名】明細書
【補正対象項目名】００１９
【補正方法】変更
【補正の内容】
【００１９】
請求項６に記載のプロジェクタ装置は、ランプ収納用開口と光照射用開口が形成されたリフレクタと、光を放射するバルブと前記バルブに電極を案内する電極導入部を備えるランプと、から構成される光源と、前記光源から放射された光の光軸上にあるとともに前記リフレクタで反射された前記ランプの放射光を集光させる少なくとも一方のレンズ面の中央部に凹部が備えられた集光用レンズと、を備え、前記ランプが前記ランプ収納用開口から前記リフレクタ内に挿入されるとともに前記バルブから放射されて前記リフレクタの内壁により反射された放射光の焦点位置が前記電極導入部上に位置せず、前記電極導入部と前記集光用レンズの集光面との間に位置するように前記バルブが配置される光源ユニットと、前記集光用レンズから出射された光を案内するミラートンネルと、前記ミラートンネルから出射された光を集光するレンズと、前記レンズから出射された光を受けて画像を映写するマイクロミラー素子と、前記マイクロミラー素子から映写された画像を拡大する投影レンズと、を備えることを特徴とする。
【手続補正６】
【補正対象書類名】明細書
【補正対象項目名】００２０
【補正方法】変更
【補正の内容】
【００２０】
請求項６に記載の発明によれば、小型化された光源ユニットを備えることで、プロジェクタ装置内における光源ユニットのための空間を少なくすることができる。
【手続補正７】
【補正対象書類名】明細書
【補正対象項目名】００２１
【補正方法】変更
【補正の内容】
【００２１】
請求項７に記載の発明は、請求項６に記載のプロジェクタ装置において、前記集光用レンズは、両レンズ面の中央部に凹面が設けられた凸レンズであることを特徴とする。
【手続補正８】
【補正対象書類名】明細書
【補正対象項目名】００２２
【補正方法】変更
【補正の内容】
【００２２】
請求項７に記載の発明によれば、光源から放射された光を効率よく集光してミラートンネルの入射面に照射することができる。
【手続補正９】
【補正対象書類名】明細書
【補正対象項目名】００２３
【補正方法】変更
【補正の内容】
【００２３】
請求項８に記載の発明は、請求項６に記載のプロジェクタ装置において、前記集光用レンズは、一方のレンズ面の中央部に凹部が設けられた凸レンズであることを特徴とする。
【手続補正１０】
【補正対象書類名】明細書
【補正対象項目名】００２４
【補正方法】変更
【補正の内容】
【００２４】
請求項８に記載の発明によれば、一方のレンズ面の中央部に凹部が設けられた凸レンズを集光用レンズとして用いることで光源から放射された光を効率よく集光してミラートンネルの入射面に照射することができる。
【手続補正１１】
【補正対象書類名】明細書
【補正対象項目名】００２５
【補正方法】変更
【補正の内容】
【００２５】
請求項９に記載の発明は、請求項６に記載のプロジェクタ装置において、前記集光用レンズは、一方のレンズ面は平面に形成されるとともに、他方のレンズ面は中央部に凹部が設けられた凸面に形成されたレンズであることを特徴とする。また、請求項１０に記載の発明は、請求項６に記載のプロジェクタ装置において、前記焦点位置は、前記光源から放射された光の光軸を中心とした円を形成することを特徴とする。
【手続補正１２】
【補正対象書類名】明細書
【補正対象項目名】００２６
【補正方法】変更
【補正の内容】
【００２６】
請求項９に記載の発明によれば、一方のレンズ面は平面に形成されるとともに、他方のレンズ面は中央部に凹部が設けられた凸面に形成されたレンズを集光用レンズとして用いることで光源から放射された光を効率よく集光してミラートンネルの入射面に照射することができる。また、請求項１０に記載の発明によれば、焦点位置は、光源から放射された光の光軸を中心とした円を形成するので、光源から放射された光を効率よく集光してミラートンネルの入射面に照射することができる。
【手続補正１３】
【補正対象書類名】明細書
【補正対象項目名】００３０
【補正方法】変更
【補正の内容】
【００３０】
請求項４に記載の発明によれば、一方のレンズ面は平面に形成されるとともに、他方のレンズ面は中央部に凹部が設けられた凸面に形成されたレンズを集光用レンズとして用いることで光源から出射された光を集光用レンズによって効率よく集光することができるので従来と比較して小さいレンズを使用することが可能となるため、これによっても光源ユニットを小型化することができる。また、請求項５に記載の発明によれば、焦点位置は、光源から放射された光の光軸を中心とした円を形成するので、光源から放射された光を効率よく集光できる。
【手続補正１４】
【補正対象書類名】明細書
【補正対象項目名】００３１
【補正方法】変更
【補正の内容】
【００３１】
請求項６に記載の発明によれば、小型化された光源ユニットを備えているためプロジェクタ装置自体を小型化することができる。
【手続補正１５】
【補正対象書類名】明細書
【補正対象項目名】００３２
【補正方法】変更
【補正の内容】
【００３２】
請求項７に記載の発明によれば、従来と比較して小型化した集光用レンズを用いることが可能となり、これによっても光源ユニットが小型化され、それを内蔵するプロジェクタ装置自体を小型化することができる。
【手続補正１６】
【補正対象書類名】明細書
【補正対象項目名】００３３
【補正方法】変更
【補正の内容】
【００３３】
請求項８に記載の発明によれば、一方のレンズ面の中央部に凹部が設けられた凸レンズを集光用レンズとして用いることで従来と比較して小型化した集光用レンズを用いることが可能となり、これによっても光源ユニットが小型化され、それを内蔵するプロジェクタ装置自体を小型化することができる。
【手続補正１７】
【補正対象書類名】明細書
【補正対象項目名】００３４
【補正方法】変更
【補正の内容】
【００３４】
請求項９に記載の発明によれば、一方のレンズ面は平面に形成されるとともに、他方のレンズ面は中央部に凹部が設けられた凸面に形成されたレンズを集光用レンズとして用いることで従来と比較して小型化した集光用レンズを用いることが可能となり、これによっても光源ユニットが小型化され、それを内蔵するプロジェクタ装置自体を小型化することができる。また、請求項１０に記載の発明によれば、焦点位置は、光源から放射された光の光軸を中心とした円を形成するので、光源から放射された光を効率よく集光してミラートンネルの入射面に照射することができる。